(57)【要約】【課題】携帯用電話機ユーザが市中においても簡便に画像印字することができるプリンタ装置を提供することを目的とする。【解決手段】公衆電話回線１０１に接続された公衆電話回線端末部１０２と、公衆電話回線で送られてきたメールを受信し、メールに添付された画像を処理して印字させる制御部１０３とを有する。【選択図】  図１
2004230588.tif 000002
【特許請求の範囲】
【請求項１】
公衆電話回線に接続された公衆電話回線端末部と、前記公衆電話回線で送られてきたメールを受信し、前記メールに添付された画像を処理して印字させる制御部とを有することを特徴とするプリンタ装置。
【請求項２】
前記公衆電話回線で送られてきたメールを受信し、前記メールの本文に記載された文字を解読し、解読された文字の条件によって前記メールに添付された画像の印字条件を制御する解読印字制御部を備えたことを特徴とする請求項１に記載のプリンタ装置。
【請求項３】
合成する画像を記憶した記憶部と、前記公衆電話回線で送られてきたメールを受信し、前記メールに添付された画像と前記記憶部に記憶した画像とを合成する画像合成部とを備えたことを特徴とする請求項１または２に記載のプリンタ装置。
【請求項４】
公衆電話回線に接続された公衆電話回線端末部と、前記公衆電話回線で送られてきたメールを受信し、前記メール本文に記載された文字を解読する解読印字制御部と、合成する画像を複数記憶すると共に前記解読印字制御部で解読された前記文字により合成する画像を選択する選択画像生成部と、前記解読された文字によって選択された前記選択画像生成部の画像と前記メールに添付された画像とを合成する画像合成部とを有することを特徴とするプリンタ装置。
【請求項５】
公衆電話回線に接続された公衆電話回線端末部と、ネットワーク回線に接続されたネットワーク回線端末部と、前記公衆電話回線で送られてきたメールを受信し、前記メールに添付された画像と前記ネットワーク回線端末部を通じて受信された画像とを合成する画像合成部とを有することを特徴とするプリンタ装置。
【請求項６】
公衆電話回線に接続された公衆電話回線端末部と、ネットワーク回線に接続されたネットワーク回線端末部と、前記公衆電話回線で送られてきたメールを受信し、前記メールの本文に記載された文字を解読する解読印字制御部と、前記ネットワーク回線端末部で受信可能でかつ解読された前記文字によって選択された画像と前記メールに添付された画像とを合成する画像合成部とを有することを特徴とするプリンタ装置。
【請求項７】
公衆電話回線に接続された公衆電話回線端末部と、合成する印字情報を記憶した記憶部と、前記公衆電話回線で送られてきたメールを受信し、前記メールの本文に記載された文字を解読する解読印字制御部と、前記記憶部に記憶され、かつ解読された前記文字によって選択された印字情報を印字させる情報処理部とを有することを特徴とするプリンタ装置。
【請求項８】
公衆電話回線に接続された公衆電話回線端末部と、ネットワーク回線に接続されたネットワーク回線端末部と、前記公衆電話回線で送られてきたメールを受信し、前記メールの本文に記載された文字を解読する解読印字制御部と、前記ネットワーク回線端末部で受信可能でかつ解読された前記文字によって選択された印字情報を印字させる情報処理部とを有することを特徴とするプリンタ装置。
【請求項９】
前記メールの発信元電話番号を記憶する番号記憶部を備え、前記制御部は、印字が完了したのち前記メールの発信者に印字の完了を通知することを特徴とする請求項１乃至８のいずれか１に記載のプリンタ装置。
【請求項１０】
前記制御部は、第１の呼が確立した後に前記第１の呼と同じ発信元からの第２の呼が確立したときに印字を行わせることを特徴とする請求項１乃至９のいずれか１に記載のプリンタ装置。
【請求項１１】
前記制御部は、前記公衆電話回線を通じて受信した画像の添付された第一のメールの電話番号を前記番号記憶部に記憶させ、前記第一のメールの本文に記載された電話番号の電話機から前記公衆電話回線を通じて電話を受信して第二の呼が確立したときに印字させることを特徴とする請求項１乃至１０のいずれか１に記載のプリンタ装置。
【請求項１２】
メールの送信元アドレスを記憶するメール記憶部を備え、前記制御部は、印字が完了したのち、前記メール記憶部に記憶した前記メールの送信元アドレスに印字の完了を通知することを特徴とする請求項１乃至１１のいずれか１に記載のプリンタ装置。
【請求項１３】
前記制御部は、画像を添付した第一のメールを受信後に前記メール記憶部に前記第一のメールの送信元アドレスを記憶させ、次に受信した第二のメールの送信元アドレスが前記第一のメールの送信元アドレスに一致したとき印字させることを特徴とする請求項１乃至１２のいずれか１に記載のプリンタ装置。
【請求項１４】
前記制御部は、画像を添付した第一のメールを受信後に前記第一のメールの本文を前記メール記憶部に記憶させ、次に受信した第二のメールの本文中に記載された文字の少なくとも一部が前記第一のメールの本文の一部に一致したとき印字させることを特徴とする請求項１乃至１３のいずれか１に記載のプリンタ装置。
【請求項１５】
前記公衆電話回線を通じて受信した画像の添付された第一のメールの本文中に記載されたメールアドレスを前記メール記憶部に記憶させ、次に前記第一のメールの本文中に記載されたメールアドレスを送信者とする第二のメールを受信したとき、前記第一のメールに添付された画像の印字を行うことを特徴とする請求項１乃至１４のいずれか１に記載のプリンタ装置。
【請求項１６】
前記画像合成部は、印字画像と発信元電話装置の電話番号とを合成することを特徴とする請求項３乃至１５のいずれか１に記載のプリンタ装置。
【請求項１７】
前記画像合成部は、印字画像とプリンタ装置自体の電話番号とを合成することを特徴とする請求項３乃至１６のいずれか１に記載のプリンタ装置。
【請求項１８】
前記画像合成部は、印字画像と発信元のメールアドレスとを合成することを特徴とする請求項３乃至１７のいずれか１に記載のプリンタ装置。
【請求項１９】
前記画像合成部は、印字画像とプリンタ装置自体のメールアドレスとを合成することを特徴とする請求項３乃至１８のいずれか１に記載のプリンタ装置。
【請求項２０】
前記画像合成部は、受信したメールの本文中に含まれた文字の少なくとも一部の文字と印字画像とを合成することを特徴とする請求項３乃至１９のいずれか１に記載のプリンタ装置。
【請求項２１】
公衆電話回線に接続された公衆電話回線端末部と、前記公衆電話回線で送られてきたメールを受信し、前記メール本文に記載された文字を解読する解読印字制御部と、合成する画像を複数記憶すると共に前記解読印字制御部で解読された前記文字により合成する画像を選択する選択画像生成部と、前記解読された文字によって選択された前記選択画像生成部の画像と前記メールに添付された画像とを合成する画像合成部と、全体を制御する制御部とを有し、
前記制御部は、特定の文字列を含む本文のメールを受信した時のみ印字を行うことを特徴とするプリンタ装置。
【請求項２２】
前記制御部は、特定の電話番号の発信元からの印字要求に対して印字を禁止することを特徴とする請求項１乃至２１のいずれか１に記載のプリンタ装置。
【請求項２３】
前記制御部は、特定の電話番号の発信元からの要求に対してのみ印字を行うことを特徴とする請求項１乃至２２のいずれか１に記載のプリンタ装置。
【請求項２４】
印字を許可または禁止する特定の文字列を記憶する記憶装置を備えたことを特徴とする請求項２１、２２または２３に記載のプリンタ装置。
【請求項２５】
前記記憶装置は、特定の電話番号の発信元からの要求に対して印字を許可または禁止する電話番号を内部に記憶していることを特徴とする請求項２４に記載のプリンタ装置。
【請求項２６】
公衆電話回線に接続された公衆電話回線端末部と、ネットワーク回線に接続されたネットワーク回線端末部と、前記公衆電話回線で送られてきたメールを受信し、前記メール本文に記載された文字を解読する解読印字制御部と、前記メールに添付された画像と前記ネットワーク回線端末部を通じて受信された画像とを合成する画像合成部と、合成する画像を複数記憶すると共に前記解読印字制御部で解読された前記文字により合成する画像を選択する選択画像生成部と、全体を制御する制御部とを有し、
前記制御部は、外部の記憶装置に記憶している文字列と解読したメール本文とを比較し、前記比較の結果に基づいて印字を許可または禁止することを特徴とするプリンタ装置。
【請求項２７】
前記制御部は、外部の記憶装置に記憶している電話番号を参照し、特定の電話番号から送られた画像に対して表示を禁止または許可することを特徴とする請求項２６に記載のプリンタ装置。
【請求項２８】
前記公衆電話回線に接続可能な電話機がＰＨＳ電話機であることを特徴とする請求項１乃至２７のいずれか１に記載のプリンタ装置。
【請求項２９】
前記公衆電話回線または前記ネットワーク回線に接続可能な電話機が携帯電話機であることを特徴とする請求項１乃至２７のいずれか１に記載のプリンタ装置。
【請求項３０】
前記制御部は、特定のＰＨＳ親局または特定の携帯電話親局と呼が確立した電話機のみによる印字が可能となることを特徴とする請求項２８または２９に記載のプリンタ装置。
【請求項３１】
印字画像を表示する表示装置を備えたことを特徴とする請求項１乃至３０のいずれか１に記載のプリンタ装置。
【請求項３２】
発信元電話装置の電話番号を表示する表示装置を備えたことを特徴とする請求項１乃至３１のいずれか１に記載のプリンタ装置。
【請求項３３】
プリンタ装置自体の電話番号を表示する表示装置を備えたことを特徴とする請求項１乃至３２のいずれか１に記載のプリンタ装置。
【請求項３４】
請求項１乃至３３のいずれか１に記載のプリンタ装置を街頭に設置したことを特徴とするプリンタ装置。
【請求項３５】
前記画像合成部は、前記公衆電話回線を通して印字情報を提供する情報に宣伝広告を目的とする画像または文字を付加することを特徴とした請求項３乃至３４のいずれか１に記載のプリンタ装置。
【請求項３６】
前記画像合成部は、前記公衆電話回線を通じて送られてきた画像に合成する画像に宣伝広告を目的とする画像を付加することを特徴とする請求項３乃至３４のいずれか１に記載のプリンタ装置。
【請求項３７】
前記制御部は、前記印字情報の提供者からプリンタ装置の使用料を回収することを特徴とする請求項３５に記載のプリンタ装置。
【請求項３８】
前記制御部は、前記合成する画像を提供する画像提供者からプリンタ装置の使用料を回収することを特徴とする請求項３６に記載のプリンタ装置。
【請求項３９】
前記制御部は、プリンタ装置に接続したことにより発生する通信料金に印字料金を付加したものをプリンタ装置の使用料とすることを特徴とする請求項１乃至３６のいずれか１に記載のプリンタ装置。
【発明の詳細な説明】
【０００１】
【発明の属する技術分野】
本発明は、ＰＨＳ電話機や携帯電話機などからの画像印刷が可能なプリンタ装置に関するものである。
【０００２】
【従来の技術】
昨今、携帯電話機やＰＨＳ電話機の機能が向上し、例えば、ＣＣＤおよびレンズの小型化などによりＰＨＳ電話機や携帯電話機にカメラを搭載することが可能になり、それらの電話機を使用して、インターネット等を通じて画像を送受するユーザが増加してきた。そして、それらの電話機で撮影した画像を印字したい場合には、インターネットのメール機能を利用し、各個人のもつパソコンにプロバイダを通じて転送し、パソコンとそれに接続されたプリンタ装置とを使って画像の印字をおこなっていた。
【０００３】
【特許文献１】
特開２００２−１３２４７７号公報
【０００４】
【発明が解決しようとする課題】
しかしながら、これらＰＨＳ電話機や携帯電話機を使用するユーザの多くはプリンタを持たず、撮影した画像を印字画像として留めておくことはできないという問題点を有していた。
【０００５】
このプリンタ装置では、ＰＨＳ電話機や携帯電話機などの携帯用電話機を使用するユーザ（携帯用電話機ユーザ）が市中においても簡便に画像印字できることが要求されている。
【０００６】
本発明は、この要求を満たすため、携帯用電話機ユーザが市中においても簡便に画像印字することができるプリンタ装置を提供することを目的とする。
【０００７】
【課題を解決するための手段】
上記課題を解決するために本発明のプリンタ装置は、公衆電話回線に接続された公衆電話回線端末部と、公衆電話回線で送られてきたメールを受信し、メールに添付された画像を処理して印字させる制御部とを有する構成を備えている。
【０００８】
これにより、携帯用電話機ユーザが市中においても簡便に画像印字することができるプリンタ装置が得られる。
【０００９】
【発明の実施の形態】
本発明の請求項１に記載のプリンタ装置は、公衆電話回線に接続された公衆電話回線端末部と、公衆電話回線で送られてきたメールを受信し、メールに添付された画像を処理して印字させる制御部とを有することとしたものである。
【００１０】
この構成により、受信したメールに添付された画像を処理して印字させるようにしたので、パソコンを必要とせず、簡便に公衆電話回線を通じて画像をプリンタ装置に転送し、画像を印字することができるという作用を有する。
【００１１】
請求項２に記載のプリンタ装置は、請求項１に記載のプリンタ装置において、公衆電話回線で送られてきたメールを受信し、メールの本文に記載された文字を解読し、解読された文字の条件によってメールに添付された画像の印字条件を制御する解読印字制御部を備えることとしたものである。
【００１２】
この構成により、メールの本文に記載する文字を変更することにより、印字される出力の条件、例えば枚数や倍率等を変更することができ、多様な印字形態に対応することができるという作用を有する。
【００１３】
請求項３に記載のプリンタ装置は、請求項１または２に記載のプリンタ装置において、合成する画像を記憶した記憶部と、公衆電話回線で送られてきたメールを受信し、メールに添付された画像と記憶部に記憶した所定の画像とを合成する画像合成部とを有することとしたものである。
【００１４】
この構成により、印字画像に例えば額縁やスポンサ名等を合成して（所定の画像と額縁やスポンサ名等の画像とを合成して）印字することができるという作用を有する。
【００１５】
請求項４に記載のプリンタ装置は、公衆電話回線に接続された公衆電話回線端末部と、公衆電話回線で送られてきたメールを受信し、メール本文に記載された文字を解読する解読印字制御部と、合成する画像を複数記憶すると共に解読印字制御部で解読された文字により合成する画像を選択する選択画像生成部と、解読された文字によって選択された選択画像生成部の画像とメールに添付された画像とを合成する画像合成部とを有することとしたものである。
【００１６】
この構成により、印字画像に好みの画像例えば額縁や飾りの画像を合成して印字することができるという作用を有する。
【００１７】
請求項５に記載のプリンタ装置は、公衆電話回線に接続された公衆電話回線端末部と、ネットワーク回線に接続されたネットワーク回線端末部と、公衆電話回線で送られてきたメールを受信し、メールに添付された画像とネットワーク回線端末部を通じて受信された画像とを合成する画像合成部とを有することとしたものである。
【００１８】
この構成により、所望の画像をネットワーク回線端末部を通じて受信することができるので、合成する画像の管理が簡便になるという作用を有する。
【００１９】
請求項６に記載のプリンタ装置は、公衆電話回線に接続された公衆電話回線端末部と、ネットワーク回線に接続されたネットワーク回線端末部と、公衆電話回線で送られてきたメールを受信し、メールの本文に記載された文字を解読する解読印字制御部と、ネットワーク回線端末部で受信可能でかつ解読された文字によって選択された画像とメールに添付された画像とを合成する画像合成部とを有することとしたものである。
【００２０】
この構成により、解読された文字によってネットワーク回線端末部で受信する画像を選択することができるので、画像の選択範囲が広がり、かつ画像の管理が簡便になるという作用を有する。
【００２１】
請求項７に記載のプリンタ装置は、公衆電話回線に接続された公衆電話回線端末部と、合成する印字情報を記憶した記憶部と、公衆電話回線で送られてきたメールを受信し、メールの本文に記載された文字を解読する解読印字制御部と、記憶部に記憶され、かつ解読された文字によって選択された印字情報を印字させる情報処理部とを有することとしたものである。
【００２２】
この構成により、記憶部に記憶された情報から好みの情報を選択して印字することができるという作用を有する。
【００２３】
請求項８に記載のプリンタ装置は、公衆電話回線に接続された公衆電話回線端末部と、ネットワーク回線に接続されたネットワーク回線端末部と、公衆電話回線で送られてきたメールを受信し、メールの本文に記載された文字を解読する解読印字制御部と、ネットワーク回線端末部で受信可能でかつ解読された文字によって選択された印字情報を印字させる情報処理部とを有することとしたものである。
【００２４】
この構成により、メールの本文に記載する文字により印字情報を選択することができ、パソコンを必要とせず、簡便に印字情報を印字することができるという作用を有する。
【００２５】
請求項９に記載のプリンタ装置は、請求項１乃至８のいずれか１に記載のプリンタ装置において、メールの発信元電話番号を記憶する番号記憶部を備え、制御部は、印字が完了したのちメールの発信者に印字の完了を通知することとしたものである。
【００２６】
この構成により、メールの発信者に印字の完了を告知することができるという作用を有する。
【００２７】
請求項１０に記載のプリンタ装置は、請求項１乃至９のいずれか１に記載のプリンタ装置において、解読印字制御部は、第１の呼が確立した後に第１の呼と同じ発信元からの第２の呼が確立したときに印字を行わせることとしたものである。
【００２８】
この構成により、依頼者（メールの発信者）が当該プリンタ装置の近くに到着したときなど、印字の起動タイミングをプリンタ装置に知らせることができると共に、第三者に印字画像が渡るのを防止することができるという作用を有する。
【００２９】
請求項１１に記載のプリンタ装置は、請求項１乃至１０のいずれか１に記載のプリンタ装置において、制御部は、公衆電話回線を通じて受信した画像の添付された第一のメールの電話番号を前記番号記憶部に記憶させ、第一のメールの本文に記載された電話番号の電話機から公衆電話回線を通じて電話を受信して第二の呼が確立したときに印字させることとしたものである。
【００３０】
この構成により、当該プリント装置の前に発信人が到着したとき、当該プリンタ装置に電話することにより認証が可能となり、印字出力が誤って他人に渡るおそれがなくなり、また、希望する特定の電話番号を第一のメールに記載することにより特定の受取人に印字出力を渡すことができるという作用を有する。
【００３１】
請求項１２に記載のプリンタ装置は、請求項１乃至１１のいずれか１に記載のプリンタ装置において、メールの送信元アドレスを記憶するメール記憶部を備え、制御部は、印字が完了したのち、メール記憶部に記憶したメールの送信元アドレスに印字の完了を通知することとしたものである。
【００３２】
この構成により、依頼者（メール送信者）に印字の完了を告知することができるという作用を有する。
【００３３】
請求項１３に記載のプリンタ装置は、請求項１乃至１２のいずれか１に記載のプリンタ装置において、制御部は、画像を添付した第一のメールを受信後にメール記憶部に第一のメールの送信元アドレスを記憶させ、次に受信した第二のメールの送信元アドレスが第一のメールの送信元アドレスに一致したとき印字させることとしたものである。
【００３４】
この構成により、依頼者が当該プリンタ装置の近くに到着したときなどに印字の起動タイミングをプリンタ装置に知らせることができると共に、第三者に印字画像が渡るのを防止することができるという作用を有する。
【００３５】
請求項１４に記載のプリンタ装置は、請求項１乃至１３のいずれか１に記載のプリンタ装置において、制御部は、画像を添付した第一のメールを受信後に第一のメールの本文をメール記憶部に記憶させ、次に受信した第二のメールの本文中に記載された文字の少なくとも一部が第一のメールの本文の一部に一致したとき印字させることとしたものである。
【００３６】
この構成により、依頼者が当該プリンタ装置の近くに到着したときなどに印字の起動タイミングをプリンタ装置に知らせることができると共に、本文中に記載した特定の文字をキーワードとして、希望しない第三者に印字画像が渡るのを防止したり、希望する特定の第三者に印字出力を渡すことができるという作用を有する。
【００３７】
請求項１５に記載のプリンタ装置は、請求項１乃至１４のいずれか１に記載のプリンタ装置において、公衆電話回線を通じて受信した画像の添付された第一のメールの本文中に記載されたメールアドレスをメール記憶部に記憶させ、次に第一のメールの本文中に記載されたメールアドレスを送信者とする第二のメールを受信したとき、第一のメールに添付された画像の印字を行うこととしたものである。
【００３８】
この構成により、希望しない第三者に印字画像が渡るのを防止したり、希望する特定の第三者に印字出力を渡すことができるという作用を有する。
【００３９】
請求項１６に記載のプリンタ装置は、請求項３乃至１５のいずれか１に記載のプリンタ装置において、画像合成部は、印字画像と発信元電話装置の電話番号とを合成することとしたものである。
【００４０】
この構成により、印字の依頼者を容易に特定することができるという作用を有する。
【００４１】
請求項１７に記載のプリンタ装置は、請求項３乃至１６のいずれか１に記載のプリンタ装置において、画像合成部は、印字画像とプリンタ装置自体の電話番号とを合成することとしたものである。
【００４２】
この構成により、印字に使用したプリンタ装置を特定することができ、印字画像の管理が行い易いという作用を有する。
【００４３】
請求項１８に記載のプリンタ装置は、請求項３乃至１７のいずれか１に記載のプリンタ装置において、画像合成部は、印字画像と発信元のメールアドレスとを合成することとしたものである。
【００４４】
この構成により、印字の依頼者を容易に特定することができるという作用を有する。
【００４５】
請求項１９に記載のプリンタ装置は、請求項３乃至１８のいずれか１に記載のプリンタ装置において、画像合成部は、印字画像とプリンタ装置自体のメールアドレスとを合成することとしたものである。
【００４６】
この構成により、印字に使用したプリンタ装置を特定することができ、印字画像の管理が行い易く、かつ当該プリンタ装置のメールアドレスを特定できることにより再使用者に対して便利であるという作用を有する。
【００４７】
請求項２０に記載のプリンタ装置は、請求項３乃至１９のいずれか１に記載のプリンタ装置において、画像合成部は、受信したメールの本文中に含まれた文字の少なくとも一部の文字と印字画像とを合成することとしたものである。
【００４８】
この構成により、印字画像にコメントが追加することができるという作用を有する。
【００４９】
請求項２１に記載のプリンタ装置は、公衆電話回線に接続された公衆電話回線端末部と、公衆電話回線で送られてきたメールを受信し、メール本文に記載された文字を解読する解読印字制御部と、合成する画像を複数記憶すると共に解読印字制御部で解読された文字により合成する画像を選択する選択画像生成部と、解読された文字によって選択された選択画像生成部の画像とメールに添付された画像とを合成する画像合成部と、全体を制御する制御部とを有し、制御部は、特定の文字列を含む本文のメールを受信した時のみ印字を行うこととしたものである。
【００５０】
この構成により、特定の文字列例えばキーワードを設定し、特定のユーザのみに当該プリンタ装置の使用を限定することができるという作用を有する。
【００５１】
請求項２２に記載のプリンタ装置は、請求項１乃至２１のいずれか１に記載のプリンタ装置において、制御部は、特定の電話番号の発信元からの印字要求に対して印字を禁止することとしたものである。
【００５２】
この構成により、特定の発信元によるアクセスを禁止し、ユーザを限定することができるという作用を有する。
【００５３】
請求項２３に記載のプリンタ装置は、請求項１乃至２２のいずれか１に記載のプリンタ装置において、制御部は、特定の電話番号の発信元からの要求に対してのみ印字を行うこととしたものである。
【００５４】
この構成により、利用者を特定の会員等に制限することができるという作用を有する。
【００５５】
請求項２４に記載のプリンタ装置は、請求項２１、２２または２３に記載のプリンタ装置において、印字を許可または禁止する特定の文字列を記憶する記憶装置を備えることとしたものである。
【００５６】
この構成により、特定の文字列例えばキーワードを設定し、特定のユーザのみに当該プリンタ装置の使用を限定することができるという作用を有する。
【００５７】
請求項２５に記載のプリンタ装置は、請求項２４に記載のプリンタ装置において、記憶装置は、特定の電話番号の発信元からの要求に対して印字を許可または禁止する電話番号を内部に記憶していることとしたものである。
【００５８】
この構成により、プリンタ装置の設置者が印字を規制もしくは許可する場合において、情報の管理が簡便で容易であるという作用を有する。
【００５９】
請求項２６に記載のプリンタ装置は、公衆電話回線に接続された公衆電話回線端末部と、ネットワーク回線に接続されたネットワーク回線端末部と、公衆電話回線で送られてきたメールを受信し、メール本文に記載された文字を解読する解読印字制御部と、メールに添付された画像とネットワーク回線端末部を通じて受信された画像とを合成する画像合成部と、合成する画像を複数記憶すると共に解読印字制御部で解読された文字により合成する画像を選択する選択画像生成部と、全体を制御する制御部とを有し、制御部は、外部の記憶装置に記憶している文字列と解読したメール本文とを比較し、比較の結果に基づいて印字を許可または禁止することとしたものである。
【００６０】
この構成により、多くのプリンタ装置を設置、管理する場合において、一括管理が可能になり、印字の許可または禁止を制御するとき、制御の管理が簡便で容易であるという作用を有する。
【００６１】
請求項２７に記載のプリンタ装置は、請求項２６に記載のプリンタ装置において、制御部は、外部の記憶装置に記憶している電話番号を参照し、特定の電話番号から送られた画像に対して表示を禁止または許可することとしたものである。
【００６２】
この構成により、画像の表示を禁止もしくは許可するとき、情報の一括管理が簡便で容易であるという作用を有する。
【００６３】
請求項２８に記載のプリンタ装置は、請求項１乃至２７のいずれか１に記載のプリンタ装置において、公衆電話回線に接続可能な電話機がＰＨＳ電話機であることとしたものである。
【００６４】
この構成により、ユーザがパソコンを使えない出先において、情報端末としてのＰＨＳ電話機を簡便に使用することができるという作用を有する。
【００６５】
請求項２９に記載のプリンタ装置は、請求項１乃至２７のいずれか１に記載のプリンタ装置において、公衆電話回線に接続可能な電話機が携帯電話機であることとしたものである。
【００６６】
この構成により、ユーザがパソコンを使えない出先において、情報端末としての携帯電話機を簡便に使用することができるという作用を有する。
【００６７】
請求項３０に記載のプリンタ装置は、請求項２８または２９に記載のプリンタ装置において、制御部は、特定のＰＨＳ親局または特定の携帯電話親局と呼が確立した電話機のみによる印字が可能となることとしたものである。
【００６８】
この構成により、プリンタ装置の設置場所に近い親局との接続を優先し、プリンタ装置の近くにない電話機から誤ってアクセスするのを防止することができるという作用を有する。
【００６９】
請求項３１に記載のプリンタ装置は、請求項１乃至３０のいずれか１に記載のプリンタ装置において、印字画像を表示する表示装置を備えることとしたものである。
【００７０】
この構成により、印字画像の確認を行うことができるという作用を有する。
【００７１】
請求項３２に記載のプリンタ装置は、請求項１乃至３１のいずれか１に記載のプリンタ装置において、発信元電話装置の電話番号を表示する表示装置を備えることとしたものである。
【００７２】
この構成により、印字の依頼元である発信元を容易に特定することができるという作用を有する。
【００７３】
請求項３３に記載のプリンタ装置は、請求項１乃至３２のいずれか１に記載のプリンタ装置において、プリンタ装置自体の電話番号を表示する表示装置を備えることとしたものである。
【００７４】
この構成により、発信元となる不特定多数に対してプリンタ装置の電話番号を容易に通知することができるという作用を有する。
【００７５】
請求項３４に記載のプリンタ装置は、請求項１乃至３３のいずれか１に記載のプリンタ装置を街頭に設置することとしたものである。
【００７６】
この構成により、画像印字装置および情報提供装置として不特定多数のユーザに対し街角、店舗内等において印字画像および印字された情報の提供を可能にするという作用を有する。
【００７７】
請求項３５に記載のプリンタ装置は、請求項３乃至３４のいずれか１に記載のプリンタ装置において、画像合成部は、公衆電話回線を通して印字情報を提供する情報に宣伝広告を目的とする画像または文字を付加することとしたものである。
【００７８】
この構成により、宣伝広告を目的とする画像または文字が簡便に得られるという作用を有する。
【００７９】
請求項３６に記載のプリンタ装置は、請求項３乃至３４のいずれか１に記載のプリンタ装置において、画像合成部は、公衆電話回線を通じて送られてきた画像に合成する画像に宣伝広告を目的とする画像を付加することとしたものである。
【００８０】
この構成により、広告者に電話料金等を負担させることができるので、ユーザは安い料金でプリンタ装置を使用することができると共に広告者が設備に関する負担を負うことを避けることができるという作用を有する。
【００８１】
請求項３７に記載のプリンタ装置は、請求項３５に記載のプリンタ装置において、制御部は、印字情報の提供者からプリンタ装置の使用料を回収することとしたものである。
【００８２】
この構成により、ユーザは安い料金でプリンタ装置を使用することができると共に広告者が設備に関する負担を負うことを避けることができるという作用を有する。
【００８３】
請求項３８に記載のプリンタ装置は、請求項３６に記載のプリンタ装置において、制御部は、合成する画像を提供する画像提供者からプリンタ装置の使用料を回収することとしたものである。
【００８４】
この構成により、ユーザは安い料金でプリンタ装置を使用することができると共に広告者が設備に関する負担を負うことを避けることができ、かつプリンタ装置使用料の回収が簡便であるという作用を有する。
【００８５】
請求項３９に記載のプリンタ装置は、請求項１乃至３６のいずれか１に記載のプリンタ装置において、制御部は、プリンタ装置に接続したことにより発生する通信料金に印字料金を付加したものをプリンタ装置の使用料とすることとしたものである。
【００８６】
この構成により、プリンタ装置の使用料や消耗品費用等のサービス費用の回収が簡便になるという作用を有する。
【００８７】
以下、本発明の実施の形態について、図１〜図１５を用いて説明する。
【００８８】
（実施の形態１）
図１は、本発明の実施の形態１によるプリンタ装置を示すブロック図である。本実施の形態によるプリンタ装置は請求項１の記載に対応するものである。
【００８９】
図１において、１０１はメールを受信する公衆電話回線、１０２は公衆電話回線端末部、１０３は受信したメールを分離し制御する制御部、１０４は印字部である。
【００９０】
このように構成されたプリンタ装置について、その動作を説明する。
【００９１】
携帯電話機を持つユーザが撮影した画像をプリンタ装置で印字するとき、プリンタ装置の設置されている場所におもむき、手持ちの自分の携帯電話メール機能を用い、印字したい画像を添付し、プリンタ装置の公衆電話回線端末部１０２に対して発呼する。公衆電話回線端末部１０２は、呼び出しに応じ、接続を行い、添付した印字したい画像をメールとして受け取る。受信メールを分離し制御する制御部１０３は、添付画像を分離し、印字部１０４に画像を送るとともに、印字部１０４の印字を起動する。印字部１０４は、受け取った画像を紙等の媒体に印字後、プリンタ装置から排出する。排出された印字画像は、プリンタ装置の近傍で待つ印字の依頼者に渡ることとなる。
【００９２】
このように、本実施の形態によれば、手慣れた携帯電話機もしくはＰＨＳ電話機に入力し、プリンタ装置に添付画像でメールするのみでよく、非常に簡便である。また、このようなプリンタ装置を街頭や店頭に設置することにより、カメラ付き携帯電話機もしくはＰＨＳ電話機を持つ不特定多数のユーザに印字画像を簡便に提供することができる。なお、携帯電話機もしくはＰＨＳ電話機で説明を行ったが、通常の電話機においても、添付画像を送る機能があれば、その電話機を使い、同様の印字画像を得ることが可能であることは明白である。
【００９３】
（実施の形態２）
図２は、本発明の実施の形態２によるプリンタ装置を示すブロック図である。本実施の形態によるプリンタ装置は請求項２の記載に対応するものである。
【００９４】
図２において、公衆電話回線１０１、公衆電話回線端末部１０２、制御部１０３、印字部１０４は図１と同様のものなので、同一符号を付し、説明は省略する。１０５はメールを分離し解読する解読印字制御部である。この解読印字制御部１０５は、メールの文字を分離し解読すると共に、解読した文字に対応して、プリンタ装置を制御する機能を有している。制御する機能とは、例えば、１枚当たりの印字枚数、倍率、印字部数等の印字の書式に係わるものから、濃度、色処理等の画像処理機能の制御も含まれる。
【００９５】
このように構成されたプリンタ装置について、その動作を図３を用いて説明する。図３（ａ）、（ｂ）、（ｃ）は印字例を示す印字図である。図３において、１０６は第１の印字例であり、１０７は第２の印字例、１０８は第３の印字例である。
【００９６】
図２のプリンタ装置はメールの文字に対応させた印字機能を準備し、送信者が印字する画像を添付したメールの本文中に、合成を希望する画像の印字条件、例えば画像１枚当たりの印字枚数、倍率、印字部数等に対応する文字を記載し、プリンタ装置に送付する。このときプリンタ装置は、受信したメールの添付画像を受信すると共に、解読印字制御部１０５でメールを解読し、解読したメールの文字により例えば印字枚数、印字倍率、印字部数等を指示することができる。
【００９７】
このようにメールの本文で印字画像を選択する機能（印字を制御する機能）を有することにより、単一の画像のみでなく、送信者の選択により１０６、１０７、１０８の例のような多様な印字をすることができ、プリンタ装置を多目的な用途に使用することが可能になると共に使用者に多様なサービスと種々の価値観をあたえることができる。
【００９８】
図３の１０６、１０７、１０８について説明すると、印字例１０６は例えば制御の文字として「シール」と規定し、送信者が「シール」とメール本文に記載して送信し、これを受信したプリンタ装置が、シール用紙１枚に複数の画像を複製して縮小印字したものである。印字例１０７は例えば「ブンカツ」の文字を送信した例で画像を２枚印字したものであり、印字例１０８は例えば「カクダイ」と記載して送信し、画像を拡大印字した例である。
【００９９】
（実施の形態３）
図４は、本発明の実施の形態３によるプリンタ装置を示すブロック図であり、印字画像に合成する画像を内蔵する場合を示す。本実施の形態によるプリンタ装置は請求項３の記載に対応するものである。
【０１００】
図４において、公衆電話回線１０１、公衆電話回線端末部１０２、制御部１０３、印字部１０４、解読印字制御部１０５は図２と同様のものなので、同一符号を付し、説明は省略する。１０９は合成する画像を記憶する記憶部であり、１１０は記憶部１０９に記憶された画像と添付画像とを合成する画像合成部である。
【０１０１】
このように構成されたプリンタ装置について、その動作を説明する。
【０１０２】
携帯電話機を持つユーザが撮影した画像をプリンタ装置で印字するとき、手持ちの自分の携帯電話メール機能を用いて、印字したい画像を添付し、プリンタ装置の公衆電話回線端末部１０２に対して発呼する。公衆電話回線端末部１０２は、呼び出しに応じ、接続を行い、上記添付画像をメールとして受け取る。受信メールより制御部１０３は添付画像を分離し、画像合成部１１０に画像を送ると、画像合成部１１０は、記憶部１０９の内部に記憶された画像と画像合成し、印字部１０４に合成画像のデータを渡し、解読印字制御部１０５でメール本文に記載された文字を解読し設定された印字条件で印字部１０４の印字を起動する。印字部１０４は、受け取った合成画像を紙等の媒体に印字後、プリンタ装置から排出する。
【０１０３】
図５（ａ）、（ｂ）は印字例を示す印字図であり、１１１は第４の印字例、１１２は第５の印字例である。図５において、印字例１１１は送付された画像に枠や破裂マークを合成印字した例であり、１１２は送付された画像に枠、ハートマーク、吹き出しを合成印字した例である。
【０１０４】
このように、メールに添付された送付画像を記憶画像とともに合成印字することにより、使用者に楽しさを与える事ができ、例えば観光地の景色等を背景として合成画像として使用することにより、印字画像を更に思い出深いものとして、使用者に対し使用意欲を増加させることができる。
【０１０５】
（実施の形態４）
図６は、本発明の実施の形態４によるプリンタ装置を示すブロック図であり、印字画像に合成する画像をメールの本文で選択する機能を内蔵するプリンタ装置を示す。本実施の形態によるプリンタ装置は請求項４の記載に対応するものである。
【０１０６】
図６において、公衆電話回線１０１、公衆電話回線端末部１０２、制御部１０３、印字部１０４、解読印字制御部１０５、画像合成部１１０は図４と同様のものなので、同一符号を付し、説明は省略する。１１３は合成する画像を複数記憶すると共に解読印字制御部１０５で解読されたメールにより合成する画像を選択する機能を有する選択画像生成部である。
【０１０７】
このように構成されたプリンタ装置について、その動作を説明する。
【０１０８】
携帯電話機を持つユーザが撮影した画像をプリンタ装置で印字するとき、手持ちの自分の携帯電話メール機能を用いて、印字したい画像を添付し、画像合成を希望する画像に対応した文字をメールの本文に記載し、プリンタ装置の公衆電話回線端末部１０２に対して発呼する。公衆電話回線端末部１０２は、呼び出しに応じ、接続を行い、上記添付画像をメールとして受け取る。一方、受信メールを分離し制御する制御部１０３は、画像合成部１１０に画像を送る。解読印字制御部１０５は、メールの文字を分離し解読すると共に、解読した文字に対応して、選択画像生成部１１３に記憶している複数の画像から合成する画像を選択する機能を有している。選択画像生成部１１３は、メールの本文に記載された文字により選択された画像を画像合成部１１０に送る。画像合成部１１０は、選択画像生成部１１３の内部に記憶され、かつ選択された画像と受信した画像とを合成し、合成画像のデータを印字部１０４に渡し、印字部１０４の印字を起動する。印字部１０４は、受け取った合成画像を紙等の媒体に印字後、プリンタ装置から排出する。このような機能を有することにより、例えば図５の印字例１１１又は印字例１１２のように、合成画像を発信者が選択して使用することができる。
【０１０９】
このように、メールの文字により選択された画像を送付画像とともに合成印字することにより、使用者に楽しさを付加する事ができ、例えば観光地の複数の景色等を合成することができ、より印字画像を更に思い出深いものとして、使用者に対し使用意欲を増加させることができる。
【０１１０】
（実施の形態５）
図７は、本発明の実施の形態５によるプリンタ装置を示すブロック図であり、印字画像に合成する画像データーを当該プリンタの外部に記憶し画像合成するプリンタ装置を示す。本実施の形態によるプリンタ装置は請求項５、６の記載に対応するものである。
【０１１１】
図７において、公衆電話回線１０１、公衆電話回線端末部１０２、制御部１０３、印字部１０４、解読印字制御部１０５、画像合成部１１０は図４、図５と同様のものなので、同一符号を付し、説明は省略する。１２１は合成する画像を記憶する記憶装置、１２２はネットワーク回線１２３に接続され記憶装置１２１を制御する制御装置、１２４はネットワーク回線端末部、１２５はネットワーク回線を通じて送られてきたデータを画像に展開する画像展開部である。
【０１１２】
このように構成されたプリンタ装置について、その動作を説明する。
【０１１３】
携帯電話機を持つユーザが撮影した画像をプリンタ装置で印字するとき、手持ちの自分の携帯電話メール機能を用いて、印字したい画像を添付し、画像合成を希望する画像に対応した文字をメールの本文に記載し、プリンタ装置の公衆電話回線端末部１０２に対して発呼する。公衆電話回線端末部１０２は、呼び出しに応じ、接続を行い、上記添付画像をメールとして受け取る。受信メールを分離し制御する制御部１０３は、画像合成部１１０に画像を送る。解読印字制御部１０５は、メールの文字を分離し解読すると共に、解読した文字に対応して、外部の記憶装置１２１に記憶している複数の画像から合成する画像を選択する機能を有している。メールの本文に記載された文字により選択された画像がネットワーク回線端末部１２４を通じて画像展開部１２５に渡され、合成のための画像が生成される。作成された合成のための画像は画像合成部１１０に送られ、画像合成部１１０は、合成のための画像と受信した画像とを合成し、合成画像を印字部１０４に渡し、印字部１０４の印字を起動する。印字部１０４は、受け取った合成画像を紙等の媒体に印字後、プリンタ装置から排出する。
【０１１４】
このように、画像合成する画像のデータをプリンタ装置の外部の記憶装置１２１に記憶することにより、合成する画像の記憶場所の自由度が増加し、かつ遠隔からの画像データのメンテナンスが可能になるとともに、画像データの一括管理が可能になる。また、複数のプリンタ装置が画像データを共有することもできる。
【０１１５】
（実施の形態６）
図８は、本発明の実施の形態６によるプリンタ装置を示すブロック図であり、発信者に提供する印字情報を記憶する記憶装置を内蔵するプリンタ装置を示す。本実施の形態によるプリンタ装置は請求項７の記載に対応するものである。
【０１１６】
図８において、公衆電話回線１０１、公衆電話回線端末部１０２、制御部１０３、印字部１０４、解読印字制御部１０５は図４、図５と同様のものなので、同一符号を付し、説明は省略する。１１４は提供する印字データを記憶する記憶装置、１１５は印字画像を作成する情報処理部である。解読印字制御部１０５は、分離したメールを解読して印字データを記憶装置１１４より取り出すと共に、印字を制御する。
【０１１７】
このように構成されたプリンタ装置について、その動作を説明する。
【０１１８】
携帯電話機を持つユーザが例えば観光案内等の印字情報をプリンタ装置から入手することを希望する場合、手持ちの自分の携帯電話メール機能を用いて、入手したい印字情報に対応した文字をメールの本文に記載し、プリンタ装置の公衆電話回線端末部１０２に対して発呼する。公衆電話回線端末部１０２は、呼び出しに応じ、接続を行い、上記文字をメールとして受け取る。受信メールを解読し制御する解読印字制御部１０５は、印字データを選択するデータを記憶装置１１４に送る。解読印字制御部１０５は、メールの文字を分離して解読すると共に、解読した文字に対応して、記憶装置１１４に記憶している複数の印字データから印字するデータを選択する機能を有している。メールの本文に記載された文字により選択された印字データが情報処理部１１５に送られる。情報処理部１１５は、記憶装置１１４から読み出された印字データを画像に展開し、その画像を印字部１０４に渡す。印字部１０４は、受け取った画像を紙等の媒体に印字後、プリンタ装置から排出する。
【０１１９】
このような機能を有することにより、例えば内蔵データとして、観光地の案内地図、見所、歴史的説明図、旅館案内、旅館パンフレットなどの情報を蓄積しておけば、使用者は、時間等に規制されず手軽に、パンフレットと同等の印字情報を得ることができ、情報の入手が簡便となる。
【０１２０】
（実施の形態７）
図９は、本発明の実施の形態７によるプリンタ装置を示すブロック図であり、外部の記憶装置に提供する印字情報を記憶する場合を示す。本実施の形態によるプリンタ装置は請求項８の記載に対応するものである。
【０１２１】
図９において、公衆電話回線１０１、公衆電話回線端末部１０２、制御部１０３、印字部１０４、解読印字制御部１０５、情報処理部１１５、制御装置１２２、ネットワーク回線１２３、ネットワーク回線端末部１２４、画像展開部１２５は図７、図８と同様のものなので、同一符号を付し、説明は省略する。１２６は提供する印字データを記憶する記憶装置である。
【０１２２】
このように構成されたプリンタ装置について、その動作を説明する。携帯電話機を持つユーザは、印字情報の提供を受けたい場合、手持ちの自分の携帯電話メール機能を用いて、提供を受ける印字情報に対応する文字をメールの本文に記載し、プリンタ装置の公衆電話回線端末部１０２に対して発呼する。公衆電話回線端末部１０２は、呼び出しに応じ、接続を行い、上記文字をメールとして受け取る。受信メールを解読し制御する解読印字制御部１０５は、メールの文字を分離して解読すると共に、解読した文字に対応して、記憶装置１２６に記憶している複数の印字情報から提供する印字情報を選択する機能を有している。メールの本文に記載された文字により選択された印字情報が画像展開部１２５に送られる。画像展開部１２５は、記憶装置１２６から読み出された印字情報を画像に展開し、印字画像として情報処理部１１５に送る。情報処理部１１５は、受け取った印字画像を印字部１０４に送り、印字部１０４の印字を起動する。印字部１０４は、受け取った合成画像（記憶装置１２６からの印字情報（印字画像）を紙等の媒体に印字後、プリンタ装置から排出する。
【０１２３】
このように提供する印字情報をプリンタ装置の外部に記憶することにより、提供する印字情報の記憶場所の自由度が増し、かつ遠隔からの提供データのメンテナンスが可能になるとともに、提供データの一括管理が可能になる。また、複数のプリンタ装置が提供するデータを共有することもできる。
【０１２４】
（実施の形態８）
図１０は、本発明の実施の形態８によるプリンタ装置を示すブロック図である。本実施の形態によるプリンタ装置は請求項９〜１１の記載に対応するものである。
【０１２５】
図１０において、公衆電話回線１０１、公衆電話回線端末部１０２、制御部１０３、印字部１０４、解読印字制御部１０５、画像合成部１１０、記憶装置１１４は図６、図８と同様のものなので、同一符号を付し、説明は省略する。１１６は受信したメールの電話番号を記憶する番号記憶部である。番号記憶部１１６は着信したメールを発信した電話番号を記憶している。
【０１２６】
このように構成されたプリンタ装置について、その動作を説明する。
【０１２７】
制御部１０３は、印字をするため画像が添付されたメールを受信すると、番号記憶部１１６に着信電話番号を記憶すると共に、解読印字制御部１０５は、メールの本文を解読し、印字を起動する。印字が起動され、印字が完了すると、制御部１０３は、公衆電話回線端末部１０２を通じて、印字の依頼者であるメールの発信者に対し発呼、すなわち番号記憶部１１６に記憶した電話番号に対して発呼し、特定の文字信号または音声信号により印字の完了を通知する。これにより、印字の終了を依頼者に告知することができ、印字出力が散逸するのを防止することができ、納品を確実なものとすることができる。
【０１２８】
また、制御部１０３は、印字をするための画像が添付された第一のメールを受信すると、番号記憶部１１６に着信電話番号を記憶すると共に、解読印字制御部１０５はメールの本文を解読する。この時印字は起動しないで起動待ちの状態となる。このあと、再び、同じ発信元から再度同じプリンタ装置に対し発呼され、第二の呼が確立すると、解読印字制御部１０５はプリンタ装置を起動する。これにより、２度目の発呼により確認しながら画像印字を行うことができ、誤って公衆電話回線を通じて印字が起動されることを防止することができる。また、印字の依頼者は、印字出力を入手可能な場所に行った時に２度目の発呼を行うことにより、印字出力が散逸するのを防止することができる。
【０１２９】
さらに、印字をするため画像が添付された第一のメールの本文に、印字出力の受取者の電話番号を付記して転送する。このメールを受信したプリンタ装置の解読印字制御部１０５は、メールの本文を解読し、印字の為の画像を印字部１０４に送る。しかし、この時印字は起動しないで起動待ちの状態となる。このあと、上記メールに記載された電話番号の電話機から発呼があり、この２度目の呼が確立したとき制御部１０３は印字部１０４に起動を指示する。これにより、２度目の発呼により確認しながら画像印字を行うことができ、誤って公衆電話回線を通じて印字が起動されることを防止することができ、第３者がメールにて印字を指示し、画像を入手することを防止することができる。また、印字の依頼者は、印字出力を入手可能な場所に行った時２度目の発呼を行うことにより、印字出力が散逸するのを防止することができる。また、受取人を電話番号で指定することができ、遠隔地での授受が可能になる。
【０１３０】
（実施の形態９）
図１１は、本発明の実施の形態９によるプリンタ装置を示すブロック図である。本実施の形態によるプリンタ装置は請求項１２〜１５の記載に対応するものである。
【０１３１】
図１１において、公衆電話回線１０１、公衆電話回線端末部１０２、制御部１０３、印字部１０４、解読印字制御部１０５、画像合成部１１０、記憶装置１１４は図１０と同様のものなので、同一符号を付し、説明は省略する。１１７は着信したメールのメールアドレスおよびメールの本文を記憶するメール記憶部である。
【０１３２】
このように構成されたプリンタ装置について、その動作を説明する。
【０１３３】
制御部１０３は、印字をするための画像が添付されたメールを受信すると、メール記憶部１１７にメールアドレスおよびメールの本文を記憶すると共に、解読印字制御部１０５は、メールの本文を解読して印字を起動する。印字が起動され、印字が完了すると、制御部１０３は、公衆電話回線端末部１０２を通じて、印字の依頼者であるメールの発信者に対して、すなわちメール記憶部１１７に記憶したメールアドレスに対してメールを発信し、特定の文字信号を通知する。これにより、印字の終了を依頼者に告知することができ、印字出力が散逸するのを防止することができ、納品を確実なものとすることができる。
【０１３４】
また、制御部１０３は、印字をするための画像が添付された第一のメールを受信すると、メール記憶部１１７に第一のメールのメールアドレスおよびメールの本文を記憶すると共に、解読印字制御部１０５は、メールの本文を解読する。この時印字は起動しないで起動待ちの状態となる。このあと、再び、同じ発信元から再度同じプリンタ装置に対し第二のメールが発呼され、プリンタ装置でメールが受信され、上記依頼者である第一のメールと同じメールアドレスであると判定（この判定は制御部１０３が行う）されると、解読印字制御部１０５はプリンタ装置を起動する。これにより、２度目のメールにより確認しながら画像印字を行うことができ、誤って印字が起動されることを防止することができる。また、印字の依頼者は、印字出力を入手可能な場所に行った時２度目のメールの発信を行うことにより、印字出力が散逸するのを防止することができる。
【０１３５】
さらに、制御部１０３は、印字をするための画像が添付された第一のメールを受信すると、メール記憶部１１７に第一のメールのメールアドレスおよびメールの本文を記憶する。この時印字の依頼者は、メールの本文中にキーワードとなる特定の文字列を記載しておく。この記載された特定の文字列はメールの本文としてメール記憶部１１７に記憶され、プリンタ装置はこの時印字は起動せず、起動待ちの状態となる。このあと、再び、印字出力を入手しようとする同じ送信元または他の使用者から、再度同じプリンタ装置に対し、上記キーワードとなる文字列の記載された第二のメールが発信され、プリンタ装置でメールが受信され、上記依頼者の第一のメールに記載されたキーワードと同じであると判定（この判定は制御部１０３が行う）されると、解読印字制御部１０５はプリンタを起動する。これにより、２度目のメールにより確認しながら画像印字を行うことができ、誤って印字が起動されることを防止することができ、また印字の依頼者は、印字出力を入手可能な場所に行った時２度目のメールの発信を行うことにより、印字出力が散逸するのを防止することができる。また、特定の受取人に対しキーワードを別途連絡して特定の受取人がキーワードをメールすることにより、印字出力を遠隔地から特定の受取人に手渡すことができる。
【０１３６】
さらに、制御部１０３は、印字をするための画像が添付された第一のメールを受信すると、メール記憶部１１７にメールアドレスおよびメールの本文を記憶する。この時印字の依頼者は、第一のメールの本文中に印字出力の受取り人のメールアドレスを文字列として記載しておく。制御部１０３は、メールアドレスの文字列を受信すると、本文中に記載されたメールアドレスの文字列をメールの本文としてメール記憶部１１７に記憶する。プリンタ装置はこの時印字は起動せず、起動待ちの状態となる。このあと、再び、印字出力を入手しようとする上記メールに記載されたアドレスの使用者から、再度同じプリンタ装置に対し第二のメールが発信され、プリンタ装置でメールが受信され、第二のメールの発信人のメールアドレスが、上記第一のメールに記載された受取者と同じメールアドレスであると判定（この判定は制御部１０３が行う）されると、解読印字制御部１０５はプリンタ装置を起動する。これにより、２度目のメールにより確認しながら画像印字を行うことができ、誤って印字が起動されることを防止することができ、また印字の依頼者は、印字出力を入手可能な場所に行った時２度目のメールの発信を行うことにより、印字出力が散逸するのを防止することができる。また特定の受取人のメールアドレスをメールに記載することにより、印字出力を遠隔地から特定の受取人に手渡すことができる。
【０１３７】
（実施の形態１０）
本発明の実施の形態１０によるプリンタ装置の構成は、図１０または図１１に示す構成である。本実施の形態によるプリンタ装置は請求項１６〜２０の記載に対応するものである。
【０１３８】
図１２は、アクセスする発信元の電話番号を印字画像上に表示する機能を有するプリンタ装置による印字例を示す印字図である。図１２において、１３１は印字用紙、１３２は印字画像領域、１３３は電話番号である。
【０１３９】
図１０において、画像合成部１１０で合成する印字データとして発信元の電話番号を用い、この電話番号を印字画像に合成することにより、印字画像上に電話発信元の電話番号を表示することができる。これにより、発信元を印字画像で確認することができ、印字した画像がだれの要求によるものかが明確となり、印字出力が明確なものとなる。
【０１４０】
また、画像合成部１１０で合成する印字データとして、使用するプリンタ装置の電話番号を用い、この電話番号を印字画像に合成することにより、印字画像上にプリンタ変更の電話番号を表示することができる。これにより、印字するプリンタ装置を印字画像で特定することができ、どのようなプリンタ装置で印字したかを示す印字の履歴を明確にすることができる。
【０１４１】
さらに、図１１のメール記憶部１１７に記憶されたメールの発信元のメールアドレスを合成印字データとすることもできる。この場合、図１１において、画像合成部１１０で合成する印字データとしてメール記憶部１１７に記憶されたメールアドレスを用い、このメールアドレスを印字画像に合成することにより、印字画像上に発信元の図１２の電話番号１３３の代りに、メールアドレスを表示することができる。これにより、発信元を印字画像で確認することができ、印字した画像がだれの要求によるものかが明確となり、印字出力が明確なものとなる。
【０１４２】
さらに、画像合成部１１０で合成する印字データとして、使用するプリンタ装置のメールアドレスを用い、このメールアドレスを印字画像に合成することにより、図１２の電話番号１３３の代りに印字するプリンタ装置のメールアドレスを印字画像上に表示することができる。これにより、印字するプリンタ装置を印字画像で特定することができ、印字の履歴を明確にすることができる。
【０１４３】
さらに、図１１のメール記憶部１１７に記憶されたメールの本文の一部または全てを合成印字データとすることもできる。この場合、図１１において、画像合成部１１０で合成する印字データとしてメール記憶部１１７に記憶された文字列を用い、この文字列を印字画像に合成することにより、印字画像上に発信元の図１２の電話番号１３３の代りに、発信者のコメントを表示することができる。これにより、発信元のコメントを印字画像上に表現することができ、多様な情報伝達を可能にすることができる。
【０１４４】
（実施の形態１１）
図１３は、本発明の実施の形態１１によるプリンタ装置を示すブロック図である。本実施の形態によるプリンタ装置は請求項２１〜２５の記載に対応するものである。
【０１４５】
図１３において、公衆電話回線１０１、公衆電話回線端末部１０２、制御部１０３、印字部１０４、解読印字制御部１０５、画像合成部１１０、選択画像生成部１１３は図６と同様のものなので、同一符号を付し、説明は省略する。１１８は特定の電話番号または特定の文字列を記憶する記憶装置である。
【０１４６】
このように構成されたプリンタ装置について、その動作を説明する。
【０１４７】
本実施の形態によるプリンタ装置は、特定の電話番号または特定の文字列に対して印字を禁止または許可する機能を有するものである。図１３のプリンタ装置が公衆電話回線１０１よりメールを受信すると、解読印字制御部１０５は、受信した電話の発信元の電話番号が内部の記憶装置１１８に記憶された電話番号と一致するか否かを判定する。もし発信元の電話番号が印字を許可した電話番号であれば、印字画像を印字部１０４に送り、印字を起動する。もし印字を禁止された電話番号であれば、印字の起動を中止する。
【０１４８】
また、メールを解読印字制御部１０５で解読し、解読印字制御部１０５は、受信したメールの文字が内部の記憶装置１１８に記憶された印字を許可する文字と一致するか否かを判定する。メールの文字中に印字を許可する文字を含むときは、解読印字制御部１０５は、印字画像を印字部１０４に送り、印字を起動する。もし禁止された文字を含む時は印字の起動を中止する。
【０１４９】
このようにすることにより、会員制や販売促進用のサービス等の限られたユーザへの使用許諾や好まないユーザからのアクセスを防止することができる。
【０１５０】
（実施の形態１２）
図１４は、本発明の実施の形態１２によるプリンタ装置を示すブロック図である。本実施の形態によるプリンタ装置は請求項２６〜３０の記載に対応するものである。
【０１５１】
図１４において、公衆電話回線１０１、公衆電話回線端末部１０２、制御部１０３、印字部１０４、解読印字制御部１０５、画像合成部１１０、選択画像生成部１１３、制御装置１２２、ネットワーク回線１２３は図６、図７と同様のものなので、同一符号を付し、説明は省略する。１２７は特定の文字および電話番号を記憶する外部の記憶装置、１２８はネットワーク回線端末部である。
【０１５２】
このように構成されたプリンタ装置について、その動作を説明する。
【０１５３】
図１４のプリンタ装置は、外部の記憶装置１２７と、外部の制御装置１２２と、ネットワーク回線１２３と、ネットワーク回線端末部１２８とを利用するものであり、制御装置１２２を介してネットワーク回線１２３により、禁止または許可する電話番号および文字の蓄積データを引用するプリンタ装置である。このような構成にすることにより、電話番号や文字の設置場所の自由度が増え、かつ複数のプリンタ装置を設置した場合に印字を禁止または許可する電話番号や文字の一元管理を行うことができ、データベースの作成や管理を簡便かつ効率的に行うことができる。これにより、会員制や販売促進用のサービス等の限られたユーザへの使用許諾や好ましくないユーザからのアクセスを防止することができる。
【０１５４】
また、受け付ける電話を電話番号によりＰＨＳ電話に特定し、メール機能のない電話機からの誤アクセスを禁止することにより、誤使用および回線の占有を防止することができる。
【０１５５】
さらに、受け付ける電話を電話番号により携帯電話に特定し、メール機能のない電話機からの誤アクセスを禁止することにより、誤使用および回線の占有を防止することができる。
【０１５６】
さらに、特定の親局との接続のみ有効とすることにより、回線の輻輳を防止しかつ係るプリンタ装置の近傍のユーザのみのアクセスを可能にする。これにより、依頼者は、印字出力の納品を確実にすることができ、また印字出力が散逸するのを防止することができる。
【０１５７】
（実施の形態１３）
図１５は、本発明の実施の形態１３によるプリンタ装置を示す構成図であり、プリンタ装置にアクセスする発信元の印字画像を表示する表示部をプリンタ装置の本体に配設したものである。本実施の形態によるプリンタ装置は請求項３１〜３９の記載に対応するものである。
【０１５８】
図１５において、１３１はプリンタ装置、１３７は表示部、１３３、１３５、１３６は電話番号、１３４はプリンタ部である。
【０１５９】
このように構成されたプリンタ装置について、その動作を説明する。
【０１６０】
図１５のプリンタ装置は、メールを受け付けたとき発信元の印字画像を表示部１３７に表示する。これにより、発信元ユーザが印字画像を確認することができ、印字する画像がだれの要求によるものかが明確となり、印字出力が明確なものとなる。図１５では表示部１３７はプリンタ装置本体に配設されているが、プリンタ装置本体の近傍に設置してもよい。
【０１６１】
また、図１５のプリンタ装置は、プリンタ装置１３１にアクセスする発信元の印字画像を表示する表示部１３７をプリンタ装置の本体に設置すると共に発信元電話番号１３３を表示する機能を有し、メールを受け付けたとき発信元の電話番号を表示部１３７に表示する。これにより、発信元ユーザが発信元電話番号を確認することができ、印字する画像がだれの要求によるものか明確となり、印字出力の納品が確実なものとなる。また、図１５では表示部１３７はプリンタ部１３４と一体に構成されているが、プリンタ装置本体の近傍に設置してもよい。
【０１６２】
さらに、図１５のプリンタ装置は、プリンタ装置１３１の電話番号１３５および１３６をプリンタ装置の本体に表示したものであり、ユーザに対しアクセスすべきプリンタ装置の電話番号を容易に判別することができる。
【０１６３】
さらに、図１５のプリンタ装置を街頭、店頭に設置し、公衆電話回線を接続し、また必要に応じてネットワーク回線を接続する構成とすることにより、不特定多数のユーザが、所有するカメラ機能つき携帯電話機もしくはＰＨＳ電話機で撮影した画像でかつ印字を希望する画像をプリンタ装置に向かってメールし、そのメールの本文に、サービスに対応した文字を記載することもできる。これにより、例えば出会った友人同士が写真を取り合い、その印字画像をプリントする為に、パソコンの設置場所である家庭に帰宅することなく、街角や店頭で印字出力し、交換等を行うことができる。また、使用者は、パソコンやそれに接続するプリンタ等多額の費用を要することなく、必要に応じた費用で、簡便に印字画像を入手することができる。
【０１６４】
さらに、図１５のプリンタ装置を街頭、店頭に情報提供装置として設置し、公衆電話回線を接続し、また必要に応じてネットワーク回線を接続することにより、不特定多数のユーザが、出先において印刷された情報を欲しいと考えたとき、所有する携帯電話機もしくはＰＨＳ電話機で当該プリンタ装置に向かってメールし、そのメールの本文に、サービスに対応した文字を記載することもできる。これにより、例えば観光地ガイド、観光地図、店内案内などを入手することができ、情報提供者は専任の案内人を必要とせず、また情報を受け取る人は案内書の営業時間等の制限を受けることなく、装置さえ稼動していればいつでも欲しい情報をうけとることができる。受け取る情報は紙に印字された情報なので、持ち運びも便利で非常に便利である。
【０１６５】
さらに、図１５のプリンタ装置を街頭、店頭に設置し、公衆電話回線を接続し、また必要に応じてネットワーク回線を接続し、合成する画像の中に広告主の意図する広告用画像を挿入し、宣伝広告用とすることもできる。これにより、不特定多数のユーザが、出先において印刷された画像を欲しいと考えたとき、所有する携帯電話機もしくはＰＨＳ電話機で当該プリンタ装置に向かってメールし、メールの本文に、サービスに対応した文字を記載することができる。そうすれば、メールの添付画像に宣伝広告用の画像を自動的に合成することができる。したがって、印字を見たり、人に見せたりする都度、宣伝広告用の画像を目にする事となり、宣伝効果は非常に大きなものになる。
【０１６６】
さらに、この時また、合成する宣伝広告の提供者が当該プリンタ装置の設置、運用等の費用の一部または全部を負担することにより、かかるプリンタ装置の使用者は格安の費用で当該プリンタ装置を使用することができる。また、使用者が格安の費用で使用できるため、多数の使用者が利用でき、効率的かつ広範な宣伝広告効果が得られる。
【０１６７】
さらに、図１５のプリンタ装置を街頭、店頭に情報提供装置として設置し、公衆電話回線を接続し、また必要に応じてネットワーク回線を接続し、提供する情報の中に広告主の意図する広告用画像または文章を挿入し、宣伝広告用とすることもできる。これにより、不特定多数のユーザが、出先において印刷された情報を欲しいと考えたとき、所有する携帯電話機もしくはＰＨＳ電話機で当該プリンタ装置に向かってメールし、そのメールの本文に、サービスに対応した文字を記載することができる。これにより、例えば観光地ガイド、観光地図、店内案内などのように、入手すると宣伝広告用になる画像や文字が記載された情報を出力することができる。したがって、例えば観光地ガイド、観光地図、店内案内などを見たり、人に見せたりする都度、宣伝広告用の画像や文字を目にする事となり、宣伝効果は非常に大きなものになる。
【０１６８】
さらに、この時また、合成する宣伝広告の提供者が当該プリンタ装置の設置、運用等の費用の一部または全部を負担することにより、かかるプリンタ装置の使用者は格安の費用で当該プリンタ装置を使用することができる。また、使用者が格安の費用で使用できるため、多数の使用者が利用でき、効率的かつ広範な宣伝広告効果が得られる。
【０１６９】
さらに、プリンタ装置を使用したシステムにおいて課金を行う場合、図１５のプリンタ装置を使用したシステムでは、機器使用の起動が公衆電話回線によるメール機能でおこなわれるので、電話料による課金が可能で、料金も電話サービス料に上乗せすることができ、会員等を特定したユーザにおいても課金は簡便なものとなる。また、使用者は発信者であるので、使用者の特定も容易でかつ確実である。また、機器本体のコイン判別機のような付加装置も不要で、かつ料金徴収作業もいらず、保安上も安全である。
【０１７０】
なお、各実施の形態においては、プリンタ装置をハードウェア構成としたが、本発明はこれに限らず、ソフトウェア構成により各構成要素を実現することもできる。
【０１７１】
【発明の効果】
以上説明したように本発明の請求項１に記載のプリンタ装置によれば、公衆電話回線に接続された公衆電話回線端末部と、公衆電話回線で送られてきたメールを受信し、メールに添付された画像を処理して印字させる制御部とを有することにより、受信したメールに添付された画像を処理して印字させるようにしたので、パソコンを必要とせず、簡便に公衆電話回線を通じて画像をプリンタ装置に転送し、画像を印字することができるという有利な効果が得られる。
【０１７２】
請求項２に記載のプリンタ装置によれば、請求項１に記載のプリンタ装置において、公衆電話回線で送られてきたメールを受信し、メールの本文に記載された文字を解読し、解読された文字の条件によってメールに添付された画像の印字条件を制御する解読印字制御部を備えたことにより、メールの本文に記載する文字を変更することにより、印字される出力の条件、例えば枚数や倍率等を変更することができ、多様な印字形態に対応することができるという有利な効果が得られる。
【０１７３】
請求項３に記載のプリンタ装置によれば、請求項１または２に記載のプリンタ装置において、合成する画像を記憶した記憶部と、公衆電話回線で送られてきたメールを受信し、メールに添付された画像と記憶部に記憶した所定の画像とを合成する画像合成部とを有することにより、印字画像に例えば額縁やスポンサ名等を合成して（所定の画像と額縁やスポンサ名等の画像とを合成して）印字することができるという有利な効果が得られる。
【０１７４】
請求項４に記載のプリンタ装置によれば、公衆電話回線に接続された公衆電話回線端末部と、公衆電話回線で送られてきたメールを受信し、メール本文に記載された文字を解読する解読印字制御部と、合成する画像を複数記憶すると共に解読印字制御部で解読された文字により合成する画像を選択する選択画像生成部と、解読された文字によって選択された選択画像生成部の画像とメールに添付された画像とを合成する画像合成部とを有することにより、印字画像に好みの画像例えば額縁や飾りの画像を合成して印字することができるという有利な効果が得られる。
【０１７５】
請求項５に記載のプリンタ装置によれば、公衆電話回線に接続された公衆電話回線端末部と、ネットワーク回線に接続されたネットワーク回線端末部と、公衆電話回線で送られてきたメールを受信し、メールに添付された画像とネットワーク回線端末部を通じて受信された画像とを合成する画像合成部とを有することにより、所望の画像をネットワーク回線端末部を通じて受信することができるので、合成する画像の管理が簡便になるという有利な効果が得られる。
【０１７６】
請求項６に記載のプリンタ装置によれば、公衆電話回線に接続された公衆電話回線端末部と、ネットワーク回線に接続されたネットワーク回線端末部と、公衆電話回線で送られてきたメールを受信し、メールの本文に記載された文字を解読する解読印字制御部と、ネットワーク回線端末部で受信可能でかつ解読された文字によって選択された画像とメールに添付された画像とを合成する画像合成部とを有することにより、解読された文字によってネットワーク回線端末部で受信する画像を選択することができるので、画像の選択範囲が広がり、かつ画像の管理が簡便になるという有利な効果が得られる。
【０１７７】
請求項７に記載のプリンタ装置によれば、公衆電話回線に接続された公衆電話回線端末部と、合成する印字情報を記憶した記憶部と、公衆電話回線で送られてきたメールを受信し、メールの本文に記載された文字を解読する解読印字制御部と、記憶部に記憶され、かつ解読された文字によって選択された印字情報を印字させる情報処理部とを有することにより、記憶部に記憶された情報から好みの情報を選択して印字することができるという有利な効果が得られる。
【０１７８】
請求項８に記載のプリンタ装置によれば、公衆電話回線に接続された公衆電話回線端末部と、ネットワーク回線に接続されたネットワーク回線端末部と、公衆電話回線で送られてきたメールを受信し、メールの本文に記載された文字を解読する解読印字制御部と、ネットワーク回線端末部で受信可能でかつ解読された文字によって選択された印字情報を印字させる情報処理部とを有することにより、メールの本文に記載する文字により印字情報を選択することができ、パソコンを必要とせず、簡便に印字情報を印字することができるという有利な効果が得られる。
【０１７９】
請求項９に記載のプリンタ装置によれば、請求項１乃至８のいずれか１に記載のプリンタ装置において、メールの発信元電話番号を記憶する番号記憶部を備え、制御部は、印字が完了したのちメールの発信者に印字の完了を通知することにより、メールの発信者に印字の完了を告知することができるという有利な効果が得られる。
【０１８０】
請求項１０に記載のプリンタ装置によれば、請求項１乃至９のいずれか１に記載のプリンタ装置において、解読印字制御部は、第１の呼が確立した後に第１の呼と同じ発信元からの第２の呼が確立したときに印字を行わせることにより、依頼者（メールの発信者）が当該プリンタ装置の近くに到着したときなど、印字の起動タイミングをプリンタ装置に知らせることができると共に、第三者に印字画像が渡るのを防止することができるという有利な効果が得られる。
【０１８１】
請求項１１に記載のプリンタ装置によれば、請求項１乃至１０のいずれか１に記載のプリンタ装置において、制御部は、公衆電話回線を通じて受信した画像の添付された第一のメールの電話番号を前記番号記憶部に記憶させ、第一のメールの本文に記載された電話番号の電話機から公衆電話回線を通じて電話を受信して第二の呼が確立したときに印字させることにより、当該プリント装置の前に発信人が到着したとき、当該プリンタ装置に電話することにより認証が可能となり、印字出力が誤って他人に渡るおそれがなくなり、また、希望する特定の電話番号を第一のメールに記載することにより特定の受取人に印字出力を渡すことができるという有利な効果が得られる。
【０１８２】
請求項１２に記載のプリンタ装置によれば、請求項１乃至１１のいずれか１に記載のプリンタ装置において、メールの送信元アドレスを記憶するメール記憶部を備え、制御部は、印字が完了したのち、メール記憶部に記憶したメールの送信元アドレスに印字の完了を通知することにより、依頼者（メール送信者）に印字の完了を告知することができるという有利な効果が得られる。
【０１８３】
請求項１３に記載のプリンタ装置によれば、請求項１乃至１２のいずれか１に記載のプリンタ装置において、制御部は、画像を添付した第一のメールを受信後にメール記憶部に第一のメールの送信元アドレスを記憶させ、次に受信した第二のメールの送信元アドレスが第一のメールの送信元アドレスに一致したとき印字させることにより、依頼者が当該プリンタ装置の近くに到着したときなどに印字の起動タイミングをプリンタ装置に知らせることができると共に、第三者に印字画像が渡るのを防止することができるという有利な効果が得られる。
【０１８４】
請求項１４に記載のプリンタ装置によれば、請求項１乃至１３のいずれか１に記載のプリンタ装置において、制御部は、画像を添付した第一のメールを受信後に第一のメールの本文をメール記憶部に記憶させ、次に受信した第二のメールの本文中に記載された文字の少なくとも一部が第一のメールの本文の一部に一致したとき印字させることにより、依頼者が当該プリンタ装置の近くに到着したときなどに印字の起動タイミングをプリンタ装置に知らせることができると共に、本文中に記載した特定の文字をキーワードとして、希望しない第三者に印字画像が渡るのを防止したり、希望する特定の第三者に印字出力を渡すことができるという有利な効果が得られる。
【０１８５】
請求項１５に記載のプリンタ装置によれば、請求項１乃至１４のいずれか１に記載のプリンタ装置において、公衆電話回線を通じて受信した画像の添付された第一のメールの本文中に記載されたメールアドレスをメール記憶部に記憶させ、次に第一のメールの本文中に記載されたメールアドレスを送信者とする第二のメールを受信したとき、第一のメールに添付された画像の印字を行うことにより、希望しない第三者に印字画像が渡るのを防止したり、希望する特定の第三者に印字出力を渡すことができるという有利な効果が得られる。
【０１８６】
請求項１６に記載のプリンタ装置によれば、請求項３乃至１５のいずれか１に記載のプリンタ装置において、画像合成部は、印字画像と発信元電話装置の電話番号とを合成することにより、印字の依頼者を容易に特定することができるという有利な効果が得られる。
【０１８７】
請求項１７に記載のプリンタ装置によれば、請求項３乃至１６のいずれか１に記載のプリンタ装置において、画像合成部は、印字画像とプリンタ装置自体の電話番号とを合成することにより、印字に使用したプリンタ装置を特定することができ、印字画像の管理が行い易いという有利な効果が得られる。
【０１８８】
請求項１８に記載のプリンタ装置によれば、請求項３乃至１７のいずれか１に記載のプリンタ装置において、画像合成部は、印字画像と発信元のメールアドレスとを合成することにより、印字の依頼者を容易に特定することができるという有利な効果が得られる。
【０１８９】
請求項１９に記載のプリンタ装置によれば、請求項３乃至１８のいずれか１に記載のプリンタ装置において、画像合成部は、印字画像とプリンタ装置自体のメールアドレスとを合成することにより、印字に使用したプリンタ装置を特定することができ、印字画像の管理が行い易く、かつ当該プリンタ装置のメールアドレスを特定できることにより再使用者に対して便利であるという有利な効果が得られる。
【０１９０】
請求項２０に記載のプリンタ装置によれば、請求項３乃至１９のいずれか１に記載のプリンタ装置において、画像合成部は、受信したメールの本文中に含まれた文字の少なくとも一部の文字と印字画像とを合成することにより、印字画像にコメントが追加することができるという有利な効果が得られる。
【０１９１】
請求項２１に記載のプリンタ装置によれば、公衆電話回線に接続された公衆電話回線端末部と、公衆電話回線で送られてきたメールを受信し、メール本文に記載された文字を解読する解読印字制御部と、合成する画像を複数記憶すると共に解読印字制御部で解読された文字により合成する画像を選択する選択画像生成部と、解読された文字によって選択された選択画像生成部の画像とメールに添付された画像とを合成する画像合成部と、全体を制御する制御部とを有し、制御部は、特定の文字列を含む本文のメールを受信した時のみ印字を行うことにより、特定の文字列例えばキーワードを設定し、特定のユーザのみに当該プリンタ装置の使用を限定することができるという有利な効果が得られる。
【０１９２】
請求項２２に記載のプリンタ装置によれば、請求項１乃至２１のいずれか１に記載のプリンタ装置において、制御部は、特定の電話番号の発信元からの印字要求に対して印字を禁止することにより、特定の発信元によるアクセスを禁止し、ユーザを限定することができるという有利な効果が得られる。
【０１９３】
請求項２３に記載のプリンタ装置によれば、請求項１乃至２２のいずれか１に記載のプリンタ装置において、制御部は、特定の電話番号の発信元からの要求に対してのみ印字を行うことにより、利用者を特定の会員等に制限することができるという有利な効果が得られる。
【０１９４】
請求項２４に記載のプリンタ装置によれば、請求項２１、２２または２３に記載のプリンタ装置において、印字を許可または禁止する特定の文字列を記憶する記憶装置を備えたことにより、特定の文字列例えばキーワードを設定し、特定のユーザのみに当該プリンタ装置の使用を限定することができるという有利な効果が得られる。
【０１９５】
請求項２５に記載のプリンタ装置によれば、請求項２４に記載のプリンタ装置において、記憶装置は、特定の電話番号の発信元からの要求に対して印字を許可または禁止する電話番号を内部に記憶していることにより、プリンタ装置の設置者が印字を規制もしくは許可する場合において、情報の管理が簡便で容易であるという有利な効果が得られる。
【０１９６】
請求項２６に記載のプリンタ装置によれば、公衆電話回線に接続された公衆電話回線端末部と、ネットワーク回線に接続されたネットワーク回線端末部と、公衆電話回線で送られてきたメールを受信し、メール本文に記載された文字を解読する解読印字制御部と、メールに添付された画像とネットワーク回線端末部を通じて受信された画像とを合成する画像合成部と、合成する画像を複数記憶すると共に解読印字制御部で解読された文字により合成する画像を選択する選択画像生成部と、全体を制御する制御部とを有し、制御部は、外部の記憶装置に記憶している文字列と解読したメール本文とを比較し、比較の結果に基づいて印字を許可または禁止することにより、多くのプリンタ装置を設置、管理する場合において、一括管理が可能になり、印字の許可または禁止を制御するとき、制御の管理が簡便で容易であるという有利な効果が得られる。
【０１９７】
請求項２７に記載のプリンタ装置によれば、請求項２６に記載のプリンタ装置において、制御部は、外部の記憶装置に記憶している電話番号を参照し、特定の電話番号から送られた画像に対して表示を禁止または許可することにより、画像の表示を禁止もしくは許可するとき、情報の一括管理が簡便で容易であるという有利な効果が得られる。
【０１９８】
請求項２８に記載のプリンタ装置によれば、請求項１乃至２７のいずれか１に記載のプリンタ装置において、公衆電話回線に接続可能な電話機がＰＨＳ電話機であることにより、ユーザがパソコンを使えない出先において、情報端末としてのＰＨＳ電話機を簡便に使用することができるという有利な効果が得られる。
【０１９９】
請求項２９に記載のプリンタ装置によれば、請求項１乃至２７のいずれか１に記載のプリンタ装置において、公衆電話回線に接続可能な電話機が携帯電話機であることにより、ユーザがパソコンを使えない出先において、情報端末としての携帯電話機を簡便に使用することができるという有利な効果が得られる。
【０２００】
請求項３０に記載のプリンタ装置によれば、請求項２８または２９に記載のプリンタ装置において、制御部は、特定のＰＨＳ親局または特定の携帯電話親局と呼が確立した電話機のみによる印字が可能となることにより、プリンタ装置の設置場所に近い親局との接続を優先し、プリンタ装置の近くにない電話機から誤ってアクセスするのを防止することができるという有利な効果が得られる。
【０２０１】
請求項３１に記載のプリンタ装置によれば、請求項１乃至３０のいずれか１に記載のプリンタ装置において、印字画像を表示する表示装置を備えたことにより、印字画像の確認を行うことができるという有利な効果が得られる。
【０２０２】
請求項３２に記載のプリンタ装置によれば、請求項１乃至３１のいずれか１に記載のプリンタ装置において、発信元電話装置の電話番号を表示する表示装置を備えたことにより、印字の依頼元である発信元を容易に特定することができるという有利な効果が得られる。
【０２０３】
請求項３３に記載のプリンタ装置によれば、請求項１乃至３２のいずれか１に記載のプリンタ装置において、プリンタ装置自体の電話番号を表示する表示装置を備えたことにより、発信元となる不特定多数に対してプリンタ装置の電話番号を容易に通知することができるという有利な効果が得られる。
【０２０４】
請求項３４に記載のプリンタ装置によれば、請求項１乃至３３のいずれか１に記載のプリンタ装置を街頭に設置することにより、画像印字装置および情報提供装置として不特定多数のユーザに対し街角、店舗内等において印字画像および印字された情報の提供を可能にするという有利な効果が得られる。
【０２０５】
請求項３５に記載のプリンタ装置によれば、請求項３乃至３４のいずれか１に記載のプリンタ装置において、画像合成部は、公衆電話回線を通して印字情報を提供する情報に宣伝広告を目的とする画像または文字を付加することにより、宣伝広告を目的とする画像または文字が簡便に得られるという有利な効果が得られる。
【０２０６】
請求項３６に記載のプリンタ装置によれば、請求項３乃至３４のいずれか１に記載のプリンタ装置において、画像合成部は、公衆電話回線を通じて送られてきた画像に合成する画像に宣伝広告を目的とする画像を付加することにより、広告者に電話料金等を負担させることができるので、ユーザは安い料金でプリンタ装置を使用することができると共に広告者が設備に関する負担を負うことを避けることができるという有利な効果が得られる。
【０２０７】
請求項３７に記載のプリンタ装置によれば、請求項３５に記載のプリンタ装置において、制御部は、印字情報の提供者からプリンタ装置の使用料を回収することにより、ユーザは安い料金でプリンタ装置を使用することができると共に広告者が設備に関する負担を負うことを避けることができるという有利な効果が得られる。
【０２０８】
請求項３８に記載のプリンタ装置によれば、請求項３６に記載のプリンタ装置において、制御部は、合成する画像を提供する画像提供者からプリンタ装置の使用料を回収することにより、ユーザは安い料金でプリンタ装置を使用することができると共に広告者が設備に関する負担を負うことを避けることができ、かつプリンタ装置使用料の回収が簡便であるという有利な効果が得られる。
【０２０９】
請求項３９に記載のプリンタ装置によれば、請求項１乃至３６のいずれか１に記載のプリンタ装置において、制御部は、プリンタ装置に接続したことにより発生する通信料金に印字料金を付加したものをプリンタ装置の使用料とすることにより、プリンタ装置の使用料や消耗品費用等のサービス費用の回収が簡便になるという有利な効果が得られる。
【図面の簡単な説明】
【図１】本発明の実施の形態１によるプリンタ装置を示すブロック図
【図２】本発明の実施の形態２によるプリンタ装置を示すブロック図
【図３】（ａ）印字例を示す印字図
（ｂ）印字例を示す印字図
（ｃ）印字例を示す印字図
【図４】本発明の実施の形態３によるプリンタ装置を示すブロック図
【図５】（ａ）印字例を示す印字図
（ｂ）印字例を示す印字図
【図６】本発明の実施の形態４によるプリンタ装置を示すブロック図
【図７】本発明の実施の形態５によるプリンタ装置を示すブロック図
【図８】本発明の実施の形態６によるプリンタ装置を示すブロック図
【図９】本発明の実施の形態７によるプリンタ装置を示すブロック図
【図１０】本発明の実施の形態８、１０によるプリンタ装置を示すブロック図
【図１１】本発明の実施の形態９、１０によるプリンタ装置を示すブロック図
【図１２】アクセスする発信元の電話番号を印字画像上に表示する機能を有するプリンタ装置による印字例を示す印字図
【図１３】本発明の実施の形態１１によるプリンタ装置を示すブロック図
【図１４】本発明の実施の形態１２によるプリンタ装置を示すブロック図
【図１５】本発明の実施の形態１３によるプリンタ装置を示すブロック図
【符号の説明】
１０１  公衆電話回線
１０２  公衆電話回線端末部
１０３  制御部
１０４  印字部
１０５  解読印字制御部
１０９  記憶部
１１０  画像合成部
１１３  選択画像生成部
１１４、１１８、１２１、１２６、１２７  記憶装置
１１５  情報処理部
１１６  番号記憶部
１１７  メール記憶部
１２２  制御装置
１２３  ネットワーク回線
１２４、１２８  ネットワーク回線端末部
１２５  画像展開部
１３１  印字用紙
１３２  印字画像領域
１３３、１３５、１３６  電話番号
１３４  プリンタ部
１３７  表示部
【図１】
2004230588.tif 000003
【図２】
2004230588.tif 000004
【図３】
2004230588.tif 000005
【図４】
2004230588.tif 000006
【図５】
2004230588.tif 000007
【図６】
2004230588.tif 000008
【図７】
2004230588.tif 000009
【図８】
2004230588.tif 000010
【図９】
2004230588.tif 000011
【図１０】
2004230588.tif 000012
【図１１】
2004230588.tif 000013
【図１２】
2004230588.tif 000014
【図１３】
2004230588.tif 000015
【図１４】
2004230588.tif 000016
【図１５】
2004230588.tif 000017